【手続補正書】
【提出日】令和1年7月2日(2019.7.2)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）におけるワイヤレス通信の方法であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることと
を備える、方法。
【請求項２】
前記データ送信時間周波数リソースに関連するサブフレームのセットが、前記各受信された少なくとも１つのＳＡに関連する前記決定されたエネルギーに基づいてランク付けされる、請求項１に記載の方法。
【請求項３】
前記データ送信時間周波数リソースを前記ランク付けすることが、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることと
を備える、請求項２に記載の方法。
【請求項４】
データ送信時間周波数リソースの前記セットを前記選択することが、
最も小さい最低平均エネルギーをもつサブフレームの前記セットのｎ個のサブフレームを決定することと、
前記決定されたｎ個のサブフレームからｋ個のサブフレームを選択することと
を備える、請求項３に記載の方法。
【請求項５】
前記ｋ個のサブフレームが、前記決定されたｎ個のサブフレームからランダムに選択される、請求項４に記載の方法。
【請求項６】
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、請求項４に記載の方法。
【請求項７】
前記データ送信時間周波数リソースが、時間によって、複数の異なる時間周波数リソースグループに区分される、請求項１に記載の方法。
【請求項８】
前記異なる時間周波数リソースグループの前記ＵＥに割り当てられた時間周波数リソースのグループを示す情報を受信することをさらに備える、請求項７に記載の方法。
【請求項９】
前記ランク付けすることと前記選択することとに関連するデータ送信時間周波数リソースの前記セットが、時間周波数リソースの前記割り当てられたグループ内にある、請求項８に記載の方法。
【請求項１０】
前記エネルギーを前記決定することと、前記データ送信時間周波数リソースを前記ランク付けすることと、前記ランク付けされたデータ送信時間周波数リソースに基づいて前記選択することとは、前記ＵＥが送るべき周期メッセージを有するときに行われ、ここにおいて、前記ＵＥは、前記ＵＥが送るべき周期メッセージを有しないとき、前記データ送信時間周波数リソースをランダムに選択する、請求項１に記載の方法。
【請求項１１】
ワイヤレス通信のための装置であって、
少なくとも１つのＵＥから少なくとも１つのスケジューリング割当て（ＳＡ）を受信するための手段と、
各受信された少なくとも１つのＳＡに関連するエネルギーを決定するための手段と、
前記各受信された少なくとも１つのＳＡに関連する前記決定されたエネルギーに基づいて、データ送信時間周波数リソースをランク付けするための手段と、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択するための手段と、
データ送信時間周波数リソースの前記選択されたセット上でデータ送信を送るための手段と
を備える、装置。
【請求項１２】
前記データ送信時間周波数リソースに関連するサブフレームのセットが、前記各受信された少なくとも１つのＳＡに関連する前記決定されたエネルギーに基づいてランク付けされる、請求項１１に記載の装置。
【請求項１３】
前記データ送信時間周波数リソースをランク付けするための前記手段が、
前記データ送信のための連続するリソースブロック（ＲＢ）の数ｘを決定することと、
ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることと
を行うように構成された、請求項１２に記載の装置。
【請求項１４】
データ送信時間周波数リソースの前記セットを選択するための前記手段が、
最も小さい最低平均エネルギーをもつサブフレームの前記セットのｎ個のサブフレームを決定することと、
前記決定されたｎ個のサブフレームからｋ個のサブフレームを選択することと
を行うように構成された、請求項１３に記載の装置。
【請求項１５】
コンピュータ実行可能コードを記憶するコンピュータ可読媒体であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることと
を行うためのコードを備える、コンピュータ可読媒体。
【手続補正２】
【補正対象書類名】明細書
【補正対象項目名】０１１４
【補正方法】変更
【補正の内容】
【０１１４】
[00130]以上の説明は、当業者が本明細書で説明された様々な態様を実施することができるようにするために提供されたものである。これらの態様への様々な変更は当業者には容易に明らかであり、本明細書で定義された一般原理は他の態様に適用され得る。したがって、特許請求の範囲は、本明細書で示された態様に限定されるものではなく、クレーム文言に矛盾しない全範囲を与えられるべきであり、ここにおいて、単数形の要素への言及は、そのように明記されていない限り、「唯一無二の」を意味するものではなく、「１つまたは複数の」を意味するものである。「例示的」という単語は、本明細書では「例、事例、または例示の働きをすること」を意味するために使用される。「例示的」として本明細書で説明されるいかなる態様も、必ずしも他の態様よりも好適または有利であると解釈されるべきであるとは限らない。別段に明記されていない限り、「いくつか（some）」という用語は１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａ、Ｂ、および／またはＣの任意の組合せを含み、複数のＡ、複数のＢ、または複数のＣを含み得る。詳細には、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはそれらの任意の組合せ」などの組合せは、Ａのみ、Ｂのみ、Ｃのみ、ＡおよびＢ、ＡおよびＣ、ＢおよびＣ、またはＡおよびＢおよびＣであり得、ここで、いかなるそのような組合せも、Ａ、Ｂ、またはＣのうちの１つまたは複数のメンバーを含んでいることがある。当業者に知られている、または後に知られることになる、本開示全体にわたって説明される様々な態様の要素のすべての構造的および機能的等価物は、参照により本明細書に明確に組み込まれ、特許請求の範囲に包含されるものである。その上、本明細書で開示されるいかなることも、そのような開示が特許請求の範囲に明示的に具陳されているかどうかにかかわらず、公に供するものではない。「モジュール」、「機構」、「要素」、「デバイス」などという単語は、「手段」という単語の代用でないことがある。したがって、いかなるクレーム要素も、その要素が「ための手段」という句を使用して明確に具陳されていない限り、ミーンズプラスファンクションとして解釈されるべきではない。
以下に本願の出願当初の特許請求の範囲に記載された発明を付記する。
［Ｃ１］
ユーザ機器（ＵＥ）におけるワイヤレス通信の方法であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることと
を備える、方法。
［Ｃ２］
前記データ送信時間周波数リソースに関連するサブフレームのセットが、前記各受信された少なくとも１つのＳＡに関連する前記決定されたエネルギーに基づいてランク付けされる、Ｃ１に記載の方法。
［Ｃ３］
前記データ送信時間周波数リソースを前記ランク付けすることが、
前記データ送信のための連続するリソースブロック（ＲＢ）の数ｘを決定することと、  ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることと
を備える、Ｃ２に記載の方法。
［Ｃ４］
データ送信時間周波数リソースの前記セットを前記選択することが、
最も小さい最低平均エネルギーをもつサブフレームの前記セットのｎ個のサブフレームを決定することと、
前記決定されたｎ個のサブフレームからｋ個のサブフレームを選択することと
を備える、Ｃ３に記載の方法。
［Ｃ５］
前記ｋ個のサブフレームが、前記決定されたｎ個のサブフレームからランダムに選択される、Ｃ４に記載の方法。
［Ｃ６］
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、Ｃ４に記載の方法。
［Ｃ７］
前記データ送信時間周波数リソースが、時間によって、複数の異なる時間周波数リソースグループに区分される、Ｃ１に記載の方法。
［Ｃ８］
前記異なる時間周波数リソースグループの前記ＵＥに割り当てられた時間周波数リソースのグループを示す情報を受信することをさらに備える、Ｃ７に記載の方法。
［Ｃ９］
前記ランク付けすることと前記選択することとに関連するデータ送信時間周波数リソースの前記セットが、時間周波数リソースの前記割り当てられたグループ内にある、Ｃ８に記載の方法。
［Ｃ１０］
前記エネルギーを前記決定することと、前記データ送信時間周波数リソースを前記ランク付けすることと、前記ランク付けされたデータ送信時間周波数リソースに基づいて前記選択することとは、前記ＵＥが送るべき周期メッセージを有するときに行われ、ここにおいて、前記ＵＥは、前記ＵＥが送るべき周期メッセージを有しないとき、前記データ送信時間周波数リソースをランダムに選択する、Ｃ１に記載の方法。
［Ｃ１１］
ワイヤレス通信の方法であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることと
を備える、方法。
［Ｃ１２］
前記車両ＵＥグループを前記マッピングすることが、静的に決定される、Ｃ１１に記載の方法。
［Ｃ１３］
前記車両ＵＥグループを前記マッピングすることが、ネットワークによって動的に構成された、Ｃ１１に記載の方法。
［Ｃ１４］
近位車両ＵＥが同じグループのために選択される、Ｃ１１に記載の方法。
［Ｃ１５］
近位車両ＵＥが、リッスンビフォアスケジュール（ＬＢＳ）を使用して同じリソースグループのためのリソースを選択する、Ｃ１１に記載の方法。
［Ｃ１６］
ワイヤレス通信のための装置であって、
少なくとも１つのＵＥから少なくとも１つのスケジューリング割当て（ＳＡ）を受信するための手段と、
各受信された少なくとも１つのＳＡに関連するエネルギーを決定するための手段と、
前記各受信された少なくとも１つのＳＡに関連する前記決定されたエネルギーに基づいて、データ送信時間周波数リソースをランク付けするための手段と、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択するための手段と、
データ送信時間周波数リソースの前記選択されたセット上でデータ送信を送るための手段と
を備える、装置。
［Ｃ１７］
前記データ送信時間周波数リソースに関連するサブフレームのセットが、前記各受信された少なくとも１つのＳＡに関連する前記決定されたエネルギーに基づいてランク付けされる、Ｃ１６に記載の装置。
［Ｃ１８］
前記データ送信時間周波数リソースをランク付けするための前記手段が、
前記データ送信のための連続するリソースブロック（ＲＢ）の数ｘを決定することと、  ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることと
を行うように構成された、Ｃ１７に記載の装置。
［Ｃ１９］
データ送信時間周波数リソースの前記セットを選択するための前記手段が、
最も小さい最低平均エネルギーをもつサブフレームの前記セットのｎ個のサブフレームを決定することと、
前記決定されたｎ個のサブフレームからｋ個のサブフレームを選択することと
を行うように構成された、Ｃ１８に記載の装置。
［Ｃ２０］
前記ｋ個のサブフレームが、前記決定されたｎ個のサブフレームからランダムに選択される、Ｃ１９に記載の装置。
［Ｃ２１］
データ送信時間周波数リソースの前記セットを選択するための前記手段が、ｘ個の連続するＲＢの前記異なるサブセットについての前記決定された平均エネルギーに基づいて、前記ｎ個のサブフレームにおけるサブフレームに重みを割り当てるように構成され、ここにおいて、前記ｋ個のサブフレームが、前記ｎ個のサブフレームの各サブフレームに割り当てられた前記重みに関連する確率に基づいて選択される、Ｃ１９に記載の装置。
［Ｃ２２］
前記データ送信時間周波数リソースが、時間によって、複数の異なる時間周波数リソースグループに区分される、Ｃ１６に記載の装置。
［Ｃ２３］
前記異なる時間周波数リソースグループの前記ＵＥに割り当てられた時間周波数リソースのグループを示す情報を受信するための手段をさらに備える、Ｃ２３に記載の装置。
［Ｃ２４］
前記ランク付けすることと前記選択することとに関連するデータ送信時間周波数リソースの前記セットが、時間周波数リソースの前記割り当てられたグループ内にある、Ｃ２３に記載の装置。
［Ｃ２５］
前記エネルギーを決定するための前記手段と、前記データ送信時間周波数リソースをランク付けするための前記手段と、前記ランク付けされたデータ送信時間周波数リソースに基づいて選択するための前記手段とは、前記ＵＥが送るべき周期メッセージを有するときに機能し、ここにおいて、前記ＵＥは、前記ＵＥが送るべき周期メッセージを有しないとき、前記データ送信時間周波数リソースをランダムに選択する、Ｃ１６に記載の装置。
［Ｃ２６］
ワイヤレス通信のための装置であって、
時間周波数リソースを異なるリソースグループに区分するための手段と、前記リソースグループが前記時間領域において区分される、
車両ＵＥロケーションに基づいて、車両ＵＥを車両ＵＥグループに分割するための手段と、
前記車両ＵＥグループを前記リソースグループにマッピングするための手段と
を備える、装置。
［Ｃ２７］
前記車両ＵＥグループをマッピングするための前記手段が、マッピングを静的に決定するように構成された、Ｃ２６に記載の装置。
［Ｃ２８］
前記車両ＵＥグループをマッピングするための前記手段が、動的にマッピングするように構成された、Ｃ２６に記載の装置。
［Ｃ２９］
近位車両ＵＥが同じグループのために選択される、Ｃ２６に記載の装置。
［Ｃ３０］
近位車両ＵＥが、リッスンビフォアスケジュール（ＬＢＳ）を使用して同じリソースグループのためのリソースを選択する、Ｃ２６に記載の装置。
［Ｃ３１］
ワイヤレス通信のための装置であって、
メモリと、
前記メモリに結合された少なくとも１つのプロセッサと
を備え、前記少なくとも１つのプロセッサは、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることと
を行うように構成された、装置。
［Ｃ３２］
前記データ送信時間周波数リソースに関連するサブフレームのセットが、前記各受信された少なくとも１つのＳＡに関連する前記決定されたエネルギーに基づいてランク付けされる、Ｃ３１に記載の装置。
［Ｃ３３］
前記少なくとも１つのプロセッサが、
前記データ送信のための連続するリソースブロック（ＲＢ）の数ｘを決定することと、  ｘ個の連続するＲＢの異なるサブセットの各々について平均エネルギーを決定することと、
各サブフレームにおけるｘ個の連続するＲＢのサブセットのうちのｘ個の連続するＲＢのサブセットについて最低平均エネルギーを決定することと、
サブフレームの前記セットにおける各サブフレームを、前記サブフレームの前記決定された最低平均エネルギーに基づいてランク付けすることと
によって、前記データ送信時間周波数リソースをランク付けするように構成された、Ｃ３２に記載の装置。
［Ｃ３４］
前記少なくとも１つのプロセッサが、
最も小さい最低平均エネルギーをもつサブフレームの前記セットのｎ個のサブフレームを決定することと、
前記決定されたｎ個のサブフレームからｋ個のサブフレームを選択することと
によって、データ送信時間周波数リソースの前記セットを選択するように構成された、Ｃ３３に記載の装置。
［Ｃ３５］
前記ｋ個のサブフレームが、前記決定されたｎ個のサブフレームからランダムに選択される、Ｃ３４に記載の装置。
［Ｃ３６］
データ送信時間周波数リソースの前記セットを前記選択することが、ｘ個の連続するＲＢの前記異なるサブセットについての前記決定された平均エネルギーに基づいて、前記ｎ個のサブフレームにおけるサブフレームに重みを割り当てることを備え、ここにおいて、前記ｋ個のサブフレームが、前記ｎ個のサブフレームの各サブフレームに割り当てられた前記重みに関連する確率に基づいて選択される、Ｃ３４に記載の装置。
［Ｃ３７］
前記データ送信時間周波数リソースが、時間によって、複数の異なる時間周波数リソースグループに区分される、Ｃ３１に記載の装置。
［Ｃ３８］
前記少なくとも１つのプロセッサが、前記異なる時間周波数リソースグループの前記ＵＥに割り当てられた時間周波数リソースのグループを示す情報を受信するようにさらに構成された、Ｃ３７に記載の装置。
［Ｃ３９］
前記ランク付けすることと前記選択することとに関連するデータ送信時間周波数リソースの前記セットが、時間周波数リソースの前記割り当てられたグループ内にある、Ｃ３８に記載の装置。
［Ｃ４０］
前記少なくとも１つのプロセッサは、前記ＵＥが送るべき周期メッセージを有するとき、前記エネルギーを決定することと、前記データ送信時間周波数リソースをランク付けすることと、前記ランク付けされたデータ送信時間周波数リソースに基づいて選択することとを行うように構成され、ここにおいて、前記少なくとも１つのプロセッサは、前記装置が送るべき周期メッセージを有しないとき、前記データ送信時間周波数リソースをランダムに選択する、Ｃ３１に記載の装置。
［Ｃ４１］
ワイヤレス通信の装置であって、
メモリと、
前記メモリに結合された少なくとも１つのプロセッサと
を備え、前記少なくとも１つのプロセッサは、
時間周波数リソースを異なるリソースグループに区分することと、前記リソースグループが前記時間領域において区分される、
車両ＵＥロケーションに基づいて、車両ＵＥを車両ＵＥグループに分割することと、    前記車両ＵＥグループを前記リソースグループにマッピングすることと
を行うように構成された、
装置。
［Ｃ４２］
前記少なくとも１つのプロセッサが、静的に、前記車両ＵＥグループを前記マッピングすることを決定する、Ｃ４１に記載の装置。
［Ｃ４３］
前記少なくとも１つのプロセッサが、動的に、前記車両ＵＥグループを前記マッピングすることを決定する、Ｃ４１に記載の装置。
［Ｃ４４］
前記少なくとも１つのプロセッサが、同じグループのために近位車両ＵＥを選択する、Ｃ４１に記載の装置。
［Ｃ４５］
前記少なくとも１つのプロセッサが、リッスンビフォアスケジュール（ＬＢＳ）を使用して同じリソースグループのための近位車両ＵＥリソースを選択する、Ｃ４１に記載の装置。
［Ｃ４６］
コンピュータ実行可能コードを記憶するコンピュータ可読媒体であって、
少なくとも１つのＵＥから少なくとも１つのスケジューリング割当て（ＳＡ）を受信することと、
各受信された少なくとも１つのＳＡに関連するエネルギーを決定することと、
前記各受信された少なくとも１つのＳＡに関連する前記決定されたエネルギーに基づいて、データ送信時間周波数リソースをランク付けすることと、前記各受信された少なくとも１つのＳＡが前記データ送信時間周波数リソースの異なるサブセットに関連する、
前記ランク付けされたデータ送信時間周波数リソースに基づいて、データ送信時間周波数リソースのセットを選択することと、
データ送信時間周波数リソースの前記選択されたセット上でデータ送信を送ることと
を行うためのコードを備える、コンピュータ可読媒体。
［Ｃ４７］
コンピュータ実行可能コードを記憶するコンピュータ可読媒体であって、
時間周波数リソースを異なるリソースグループに区分することと、前記リソースグループが前記時間領域において区分される、
車両ＵＥロケーションに基づいて、車両ＵＥを車両ＵＥグループに分割することと、
前記車両ＵＥグループを前記リソースグループにマッピングすることと
を行うためのコードを備える、コンピュータ可読媒体。